(57)【要約】【課題】軟質水潤部材の脱水圧縮に際し、圧縮開始時の必要操作力を小さく抑えて長行程の大圧縮を容易化することにより、事前の小分け作業と圧縮操作の繰り返しによる煩雑な作業を回避できる簡易な構成の手動倍力式圧縮機を提供する。【解決手段】手動倍力式圧縮機は、手動操作によって伸縮倍力動作する倍力機構（５）と、この倍力機構（５）の作用力によって互いに対向圧縮動作する圧接面（３ａ，４ａ）を形成した２つの押圧板（３，４）とから構成され、上記２つの押圧板（３，４）の一方の圧接面（４ａ）には、他方の圧接面（３ａ）に臨んで突出体（１１）を突設し、この突出体（１１）は、その基部（Ｂ）から順勾配の傾斜面（Ｓ）によって頂部（Ｔ）に至る末広がり形状に形成したものである。【選択図】図１
2011067855.tif 000002
【特許請求の範囲】
【請求項１】
手動操作力によって伸縮倍力動作する倍力機構と、この倍力機構の作用力によって互いに対向圧縮動作する圧接面を形成した２つの押圧板とからなる手動倍力式圧縮機において、
上記２つの押圧板の一方の圧接面には、他方の圧接面に臨んで突出体を突設し、この突出体は、その基部から順勾配の傾斜面によって頂部に至る末広がり形状に形成してなることを特徴とする手動倍力式圧縮機。
【請求項２】
前記突出体の傾斜面は、一定角度の直線状の傾斜に形成してなることを特徴とする請求項１記載の手動倍力式圧縮機。
【請求項３】
前記突出体は、直列状に延びる突条によって構成してなることを特徴とする請求項１記載の手動倍力式圧縮機。
【請求項４】
前記倍力機構は、軸周りに回転操作可能な長尺ねじ軸によって伸縮動作する４節リンクによるパンタグラフ式ジャッキによって構成してなることを特徴とする請求項１記載の手動倍力式圧縮機。
【請求項５】
前記２つの押圧板は、上下に対向配置して上位側に突出体を設け、下位側の押圧板を上動可能なプランジャによる油圧式ジャッキによる倍力機構によって支持してなることを特徴とする請求項１記載の手動倍力式圧縮機。
【発明の詳細な説明】
【技術分野】
【０００１】
本発明は、使用済みのソフト剣山、すなわち、スポンジ状部材に水を含ませた軟質水潤部材を手動操作力によって脱水圧縮するための手動倍力式圧縮機に関するものである。
【背景技術】
【０００２】
一般に、手動操作式の簡易な圧縮機として、例えば、特許文献１（特開平７−３２３３９７）のように、梃子式レバーによる倍力機構に押圧板を取付け、梃子式レバーを下降操作することにより、小さな操作力で対象物を押しつぶすことができる。また、上記押圧板に穴開け用の突部を設けることにより、廃棄物を収容したごみ袋に穴を開けて内部空気を逃がしつつ、ゴミ袋ごと廃棄物を圧縮することができる。
【先行技術文献】
【特許文献】
【０００３】
【特許文献１】特開平１０−２９５１２８号公報
【発明の概要】
【発明が解決しようとする課題】
【０００４】
しかしながら、スポンジ状部材に約２リットルの水を含ませた軟質水潤部材である使用済みのソフト剣山を脱水圧縮するには、圧縮比対応の長い圧縮ストロークを要する上に、ハンドル操作ネジ軸作動のパンタグラフリンク式やレバー操作ポンプ作動の油圧プランジャ式の倍力機構を用いても、圧縮開始とともに大きな操作力が必要となることから、圧縮対象物を事前に小分けした上で、小分けしたそれぞれについての圧縮操作の繰返しという煩雑で手間ヒマを要する作業を強いられるという問題があった。
【０００５】
本発明の目的は、軟質水潤部材の脱水圧縮に際し、圧縮開始時の必要操作力を小さく抑えて長行程の大圧縮を容易化することにより、事前の小分け作業と圧縮操作の繰り返しによる煩雑な作業を回避できる簡易な構成の手動倍力式圧縮機を提供することにある。
【課題を解決するための手段】
【０００６】
請求項１に係る発明は、手動操作力によって伸縮倍力動作する倍力機構と、この倍力機構の作用力によって互いに対向圧縮動作する圧接面を形成した２つの押圧板とからなる手動倍力式圧縮機において、上記２つの押圧板の一方の圧接面には、他方の圧接面に臨んで突出体を突設し、この突出体は、その基部から順勾配の傾斜面によって頂部に至る末広がり形状に形成してなることを特徴とする。
【０００７】
上記構成の手動倍力式圧縮機は、圧縮対象の軟質水潤部材を圧縮する際に、圧縮動作量に応じて、圧接面の突出体が圧縮対象物の表面に部分的に押圧進入し、この時、突出体が末広がり形状であるが故に、その進入量に伴う押圧範囲の増加に応じて圧縮反力が次第に増加することから、圧縮開始時の必要操作力が小さく抑えられる。
【０００８】
請求項２に係る発明は、請求項１の構成において、前記突出体の傾斜面は、一定角度の直線状の傾斜に形成してなることを特徴とする。上記突出体の傾斜面を角度が一定な直線状に形成することにより、圧縮によって軟質水潤部材から押し出された水で満たされている圧接面との間について大気置換が速やかになされて離型性が確保される。
【０００９】
請求項３に係る発明は、請求項１の構成において、前記突出体は、直列状に延びる突条によって構成してなることを特徴とする。上記突出体を直列状に延びる突条によって形成することにより、押圧板の補強部材として機能するとともに、突条と対応する溝線部分が分割細片化用の折り目線として被圧縮体に形成される。
【００１０】
請求項４に係る発明は、請求項１の構成において、前記倍力機構は、軸周りに回転操作可能な長尺ねじ軸によって伸縮動作する４節リンクによるパンタグラフ式ジャッキによって構成してなることを特徴とする。上記パンタグラフ式ジャッキにより、簡易かつ軽量、コンパクトな構成が確保される。
【００１１】
請求項５に係る発明は、請求項１の構成において、前記２つの押圧板は、上下に対向配置して上位側に突出体を設け、下位側の押圧板を上動可能なプランジャによる油圧式ジャッキによる倍力機構によって支持してなることを特徴とする。上記油圧式ジャッキによる倍力機構により、油圧動作による滑らかな圧縮操作と、圧抜きによる容易な初期化操作が確保される。
【発明の効果】
【００１２】
請求項１の発明の手動倍力式圧縮機は、一方の圧接面に基部から順勾配の傾斜面によって頂部に至る末広がり形状の突出体を形成したことから、圧縮対象の軟質水潤部材を圧縮する際に、圧縮動作量に応じて、圧接面の突出体が圧縮対象物の表面に部分的に押圧進入し、この時、突出体が末広がり形状であるが故に、その進入量に伴う押圧範囲の増加に応じて圧縮反力が次第に増加することから、圧縮開始時の必要操作力が小さく抑えられ、困難なしに長行程の大圧縮が可能となるので、簡易な構成の手動倍力式圧縮機により、事前の小分け作業と圧縮操作の繰り返しによる煩雑な作業を回避して、軟質水潤部材を突出体の寸法を残す範囲で効率よく大きく圧縮することが可能となる。
【００１３】
請求項２に係る発明は、請求項１の効果に加え、上記突出体の傾斜面を角度が一定な直線状に形成することにより、圧縮によって軟質水潤部材から押し出された水で満たされている圧接面との間について、大気置換が速やかになされることにより、圧縮後の戻し操作により軟質水潤部材の被圧縮体が押圧板から容易に離型するので、取扱性を向上することができる。
【００１４】
請求項３に係る発明は、請求項１の効果に加え、直列状に延びる突条によって突出体を形成することにより、押圧板の補強部材として機能するとともに、突条と対応して過大圧縮された部分が折り目線として被圧縮体に形成されることから、圧縮後の分割細片化が容易となり、保管や運搬等の際の取扱性を確保できる。
【００１５】
請求項４に係る発明は、請求項１の効果に加え、パンタグラフ式ジャッキにより、簡易かつ軽量コンパクトに構成することができる。
【００１６】
請求項５に係る発明は、請求項１の効果に加え、油圧式ジャッキによる倍力機構により、油圧動作によって滑らかに圧縮操作ができ、圧縮操作後は油圧式ジャッキの圧抜きによって容易に初期状態に戻すことができる。
【図面の簡単な説明】
【００１７】
【図１】第１構成例の手動倍力式圧縮機の部分破断による正面図
【図２】図１の手動倍力式圧縮機の部分破断による側面図
【図３】図１の手動倍力式圧縮機の要部の部分破断による拡大図
【図４】第１構成例の圧縮機の圧縮前後の動作説明図（a、ｂ）
【図５】第２構成例の手動倍力式圧縮機の部分破断による正面図（ａ）と側面図（ｂ）
【図６】第２構成例の圧縮機の動作前後を示す正面図（a、ｂ）
【発明を実施するための形態】
【００１８】
上記技術思想に基づいて具体的に構成された実施の形態について以下に図面を参照しつつ説明する。
図１および図２は、それぞれ、第１構成例の手動倍力式圧縮機の部分破断による正面図と側面図である。
手動倍力式圧縮機１は、４隅の支柱によって堅固に構成される箱枠状のフレーム２の下部と上部に分けて２つの押圧板３，４を対向配置するとともに、上部の押圧板４は、倍力機構の作用力によって互いに対向圧縮動作するように、倍力機構であるパンタグラフ式ジャッキ５を介して上下に進退動作可能に構成し、導水機能を有する作業台６に取付け、パンタグラフ式ジャッキ５による伸縮範囲を残して上半部を覆う箱状カバー７を設ける。
【００１９】
詳細には、下部の押圧板３は、平板状の圧接面３ａを上にし、必要により位置決め用の突部３ｂを設け、フレーム２の下部に固定する。上部の押圧板４は、同フレーム２の上部から吊り下げ固定したパンタグラフ式ジャッキ５の下端に、圧接面４ａを下にして取付ける。この圧接面４ａには、図１の手動倍力式圧縮機の要部の部分破断による拡大図を図３に示すように、対向する押圧板３の圧接面３ａに臨んで突出体１１を設け、この突出体１１は、その基部Ｂから順勾配の傾斜面Ｓによって頂部Ｔに至る末広がり形状に形成する。
【００２０】
パンタグラフ式ジャッキ５は、４節リンクによって構成し、軸線周りに回転操作可能な長尺ねじ軸５ａを備えて倍力伸縮動作する倍力機構であり、長尺ねじ軸５ａの一端には、回動操作するためのハンドル５ｂを着脱可能に設ける。また、作業台６は、水を受けるための受皿６ａとして上部を形成し、排水ホース６ｂを接続して導水可能に構成するとともに、パンタグラフ式ジャッキ５のハンドル５ｂの近傍に作業用グリップ６ｃを設ける。
【００２１】
上記構成の手動倍力式圧縮機１は、圧縮前後の動作説明図（ａ，ｂ）を図４に示すように、ハンドル５ｂの回動操作により、パンタグラフ式ジャッキ５に支持された上部の押圧板４が昇降動作することから、上部の押圧板４を初期位置Ｈ１に操作した上で、下部の押圧板３の上に使用済みのソフト剣山等の軟質水潤部材Ｗを載せ、ハンドル５ｂを回動操作して上部の押圧板４を目的位置Ｈ２まで下げることにより、圧縮開始時の操作力が小さく抑えられるとともに、大きな圧縮行程について、下部と上部の２つの押圧板３，４の間に作用する圧縮力によって軟質水潤部材Ｗを脱水圧縮することができる。
【００２２】
この場合において、手動倍力式圧縮機１は、圧縮対象の軟質水潤部材Ｗを圧縮する際に、圧縮動作量に応じて、圧接面４ａの突出体１１が圧縮対象物Ｗの表面に部分的に押圧進入し、この時、突出体１１が末広がり形状であるが故に、その進入量に伴う押圧範囲の増加に応じて圧縮反力が次第に増加することから、圧縮開始時の必要操作力が小さく抑えられ、困難なしに長行程の大圧縮が可能となる。
【００２３】
したがって、パンタグラフ式ジャッキ５による簡易かつ軽量、コンパクトな構成の手動倍力式圧縮機１により、事前の小分け作業と圧縮操作の繰り返しによる煩雑な作業を回避して、軟質水潤部材Ｗを突出体１１の突出寸法を残す範囲で効率よく大きく圧縮することが可能となる。
【００２４】
上記構成において、突出体１１については、その突出高さと末広がり形状に応じて圧縮反力特性が定まることから、必要により、傾斜面Ｓが角度一定の円錐、角錐の山型形状とし、また、直列状に延びる突条に形成し、これを格子状に構成する。また、圧接面４ａの全体を緩い傾斜面による三角屋根状（船底状）とし、さらに、部分的な突出体１１と組み合わせて構成する。
【００２５】
また、突出体１１は、その傾斜角度が一定な直線状に形成することにより、圧縮によって軟質水潤部材Ｗから押し出された水で満たされている圧接面４ａとの間について、大気置換が速やかになされて圧縮後の戻し操作時に軟質水潤部材Ｗの被圧縮扁平体が押圧板４から容易に離型するので、突出体１１から分離するための手間が必要となる離型困難な円弧形状等の場合より、取扱性を向上することができる。
【００２６】
また、突出体１１は、直列状に延びる突条によって構成することにより、圧縮後の扁平状の被圧縮体Ｗについて、突条と対応する溝線が形成されることから、この溝線を折り目として容易に分割細片化できるので、圧縮扁平体の保管や運搬等の取扱性を確保できる。そのほか、傾斜圧縮が可能な左右非対称のパンタグラフ式ジャッキ５によって初期圧縮力を緩和でき、また、突出体１１と対応する溝を対向側の押圧板３に形成して圧縮比を大きく確保することができる。
【００２７】
なお、上記構成においては、２つの押圧板３，４について、上下逆転配置、横置き配置等、その位置関係によることなく、同様の効果が得られることが明らかなことから、その説明を省略する。
【００２８】
次に、第２構成例の手動倍力式圧縮機について説明する。
図５は、第２構成例の手動倍力式圧縮機２１の部分破断による正面図（ａ）と側面図（ｂ）である。以下において、前記同様の部材はその符号を付すことにより説明を省略する。
【００２９】
手動倍力式圧縮機２１は、上動可能なプランジャ２２ａを備えた油圧式ジャッキ２２をフレーム２の基部に配置し、着脱可能な操作レバー２２ｂを設けてその上下操作によりプランジャ２２ａの圧縮動作し、また、解除ツマミ２２ｃの操作によって初期位置に戻るように構成する。
【００３０】
下部の押圧板３は、油圧式ジャッキ２２のプランジャ２２ａによってを上下動作可能に支持し、同油圧式ジャッキ２２を囲むように、その操作部を残して押圧板３に伸縮可能な水除けカバー２３を設ける。フレーム２の上部には、下部の上部の押圧板３と対向して上部の押圧板４を固定する。
【００３１】
上記構成の手動倍力式圧縮機２１は、圧縮前後の動作説明図（ａ，ｂ）を図６に示すように、操作レバー２２ｂの上下操作により、プランジャ２２ａに支持された下部の押圧板３が上昇動作することから、解除ツマミ２２ｃにより下部の押圧板３を初期位置Ｈ１に下げた上で、使用済みのソフト剣山等の軟質水潤部材Ｗを載せ、操作レバー２２ｂを上下操作して上部の押圧板４を目的位置Ｈ２まで上げることにより、圧縮開始時の操作力が小さく抑えられるとともに、大きな圧縮行程について、下部と上部の２つの押圧板３，４の間に作用する圧縮力によって軟質水潤部材Ｗを脱水圧縮することができる。
【００３２】
したがって、手動倍力式圧縮機２１は、油圧動作によって滑らかに圧縮操作ができ、圧縮操作後は油圧式ジャッキの圧抜きによって容易に初期状態に戻すことができることから、前記同様の効果を確保しつつ、操作性を確保することができる。
【符号の説明】
【００３３】
１      手動倍力式圧縮機
３      押圧板
３ａ    圧接面
４      押圧板
４ａ    圧接面
５      パンタグラフ式ジャッキ（倍力機構）
５ｂ    ハンドル
１１    突条（突出体）
２１    手動倍力式圧縮機
２２    油圧式ジャッキ（倍力機構）
２２ｂ  操作レバー
２２ｃ  解除ツマミ
Ｂ      基部
Ｈ１    初期位置
Ｈ２    目的位置
Ｓ      傾斜面
Ｔ      頂部
Ｗ      軟質水潤部材（脱水圧縮対象物）
【図１】
2011067855.tif 000003
【図２】
2011067855.tif 000004
【図３】
2011067855.tif 000005
【図４】
2011067855.tif 000006
【図５】
2011067855.tif 000007
【図６】
2011067855.tif 000008